(57)【要約】【課題】ボックス内の空気が激しく対流せずに、騒音も発生しないで、ボックス内の温度が調整でき、遮音性に優れ、しかも大きさや形状の異なるものが容易に得られる防音ボックスを提供する。【解決手段】床部と、側面および背面を形成する壁部と、壁部の前面を開閉するドア部と、上部に設けられた天井部から構成されて、閉空間を形成する防音ボックスであって、床部、壁部および天井部は、その全部または一部が、水路と防音材が充填された領域とを有する平面形状および／または曲面形状のパネルを複数個組み合わせて防音ボックスを構成する。【選択図】  図１
2004278139.tif 000002
【特許請求の範囲】
【請求項１】
床部と、側面および背面を形成する壁部と、壁部の前面を開閉するドア部と、上部に設けられた天井部から構成されて、閉空間を形成する防音ボックスであって、
前記床部、壁部および天井部は、その全部または一部が、水路と防音材が充填された領域とを有する平面形状および／または曲面形状のパネルを複数個組み合わせて構成され、
前記防音ボックスには、水温を調整する温度調整装置が設けられていることを特徴とする防音ボックス。
【請求項２】
前記パネルが、このパネルの一方の面にパネルと一体に成型されたジグザグに連通する水路と、それぞれ隣り合う水路間に嵌め込まれたカートリッジ状の防音材とを有することを特徴とする請求項１に記載の防音ボックス。
【請求項３】
前記パネルは、二重壁構造をしており、二重壁の内部に、パネルと一体成型されたジグザグに連通する水路と、それぞれ隣り合う水路間に設けられた防音材が充填された領域とを有することを特徴とする請求項１に記載の防音ボックス。
【発明の詳細な説明】
【０００１】
【発明の属する技術分野】
本発明は、水を用いて温度を調整する防音ボックスに関する。
【０００２】
【従来の技術】
近年、楽器の練習や音楽の鑑賞などの個人的な騒音の発生が社会問題となっており、個人的な騒音の発生を有効に防止することが重要である。一方、外部の騒音から遮断された状態で、読書や、学習、仕事などの作業や、睡眠や休息をとることを望む場合もある。このような目的を解決するために、防音ボックスやリフレッシュボックスなどが知られている。従来の防音ボックスやリフレッシュボックスでは、ボックス内の温度を調整する場合には、空調機を用いて行われている（例えば、特許文献１、特許文献２参照。）。
【０００３】
しかし、空調機を用いてボックス内の温度を調整する場合に、使用者が空気の流れを感ずることにより、不快感を生ずるという問題がある。あるいは、空気を換気する際に、ファンの回転に伴う騒音を生ずるという問題がある。
【０００４】
【特許文献１】
特開平１１−８１７２３号公報（段落００２１）
【特許文献２】
特開２００２−１６７９９０号公報（請求項１、第２図）
【０００５】
また、防音性は、中空の板材を用いることにより、あるいは中空部分に遮音材を充填することにより、付与される。しかし、中空の板材を用いた場合には、遮音性に劣るという問題がある。一方、中空部分に遮音材を充填する場合には、多量の遮音材を必要とするという問題がある。
【０００６】
さらに、防音ボックスやリフレッシュボックスの使用の目的や設置場所により、使用者が、その大きさや形状を選択することを望む場合がある。しかし、従来の防音ボックスやリフレッシュボックスでは、大きさや形状の選択は容易ではない。
【０００７】
【発明が解決しようとする課題】
本発明は上記に鑑みなされたものであり、その目的は、ボックス内の空気が激しく対流せずに、騒音も発生しないで、ボックス内の温度が調整でき、遮音性に優れ、しかも大きさや形状の異なるものが容易に得られる防音ボックスを提供することにある。
【０００８】
【課題を解決するための手段】
上記の課題を解決する為に、本発明の防音ボックスは、床部と、側面および背面を形成する壁部と、壁部の前面を開閉するドア部と、上部に設けられた天井部から構成されて、閉空間を形成する防音ボックスであって、前記床部、壁部および天井部は、その全部または一部が、水路と防音材が充填された領域とを有する平面形状および／または曲面形状のパネルを複数個組み合わせて構成され、前記防音ボックスには、水温を調整する温度調整装置が設けられていることを特徴とする。
【０００９】
この構成によると、ボックス内の温度の調整は、ボックスを構成するパネルの中を通る水の温度を変えることにより行う。したがって、利用者が、空気の流れを感ずることによる不快感を感じることなく、ボックス内の温度を調整できる。また、ボックスの外側に設けた循環装置で、パネル内の水を循環させるので、ファンの回転に伴う騒音を発生しない。さらに、水路内を流れる水が、ボックス内の温度を調整することに加え、遮音性を向上させることができるため、使用する防音材の量を減らすことができる。
【００１０】
また、本発明の防音ボックスは、床部、壁部および天井部は、その全部または一部が、水路と防音材が充填された領域とを有する平面形状および／または曲面形状のパネルを複数個組み合わせて構成されるので、使用するパネルの形状、大きさ、数などを変えることにより、選択の幅のある防音ボックスが、提供できる。
【００１１】
このような防音ボックスは、例えばパネルの一方の面に一体成型されたジグザグに連通する水路と、それぞれ隣り合う水路間に、カートリッジ状の防音材が嵌め込まれていることを特徴とするパネルを用いて構成されていても良い。
【００１２】
この構成によれば、カートリッジ状の防音材を嵌め込むので、防音材の種類を変えることが容易である。また、要求される遮音性の程度により、嵌め込むカートリッジ状の防音材の数を変えることもできる。
【００１３】
このような防音ボックスは、二重壁構造であり、二重壁の内部に、一体成型されたジグザグに連通する水路と、それぞれ隣り合う水路間に設けられた防音材を注入した防音材が充填された領域とを有することを特徴とするパネルを用いて構成されていても良い。
【００１４】
この構成によれば、本発明の防音ボックスは、水路と防音材が充填された領域とが一体成型されたパネルを用いて構成される。このため、強度に優れた防音ボックスが得られる。
【００１５】
【発明の実施の形態】
以下、本発明につき図面を参照して更に詳しく説明する。図１は、本発明の防音ボックスの一例を示す斜視図である。
【００１６】
上記防音ボックス１は、住居やビル等の建築構造体の中に居室状に配置され、あるいはユニットとして独立して建てられる。このボックス１は、床部２と、側面および背面を形成する壁部３と、壁部の前面を開閉するドア部４と、上部に設けられた天井部５とから構成されている。この図の例では、ボックスは横長の略直方体の箱状に形成されている。
【００１７】
本発明の最大の特徴は、床部２、壁部３および天井部５の全部または一部を構成するパネルの内部構造にある。したがって、本発明の防音ボックスでは、パネルの形状、大きさ、数を変えることにより、ボックスの外形の形状や大きさを、適宜変更できる。
【００１８】
床部２、壁部３および天井部５は、複数個のパネルを組み合わせて構成されている。本発明にかかるパネル以外に、必要に応じて窓が設けられていてもよい。パネルは、平面形状または曲面形状をしている。
【００１９】
図２は、本発明に用いられるパネルの一態様を示す概略構成図である。この図の例では、パネル１０の一方の面に、ジグザグに連通する水路１１が設けられており、隣り合う水路間にカートリッジ状の防音材１２が嵌め込まれ、防音材が充填された領域１３を構成する。
【００２０】
上記パネル１０には、水路１１と、防音材が充填された領域１３とが設けられている。上記ボックスの外部に設けられた温度調整機で、所望の温度に調整された水は、循環装置により、１のパネル内の水路の入り口１４に供給され、パネル内の水路１１を流通し、水路の出口１５から出て、隣接されたパネルの水路に供給される。この結果、ボックス内は所定の温度になる。また、水は、防音材としても機能するので、遮音性が向上する。
【００２１】
このような水路１１は、パネルの内部にジグザグに連通して設けられている。この結果、ボックス内の温度の調整が効率的に行われる。図２に示すパネルは、例えば熱可塑性樹脂をブロー成型することで製造される。図３は、図２に示すパネルにおいてカートリッジ状の防音材を嵌め込む前の概念図である。図３（ａ）はその平面図、図３（ｂ）は、Ｘ方向の断面図である。ブロー成型を用いると、このように水路１１が形成されたパネル１０が一体で製造できる。
【００２２】
図４は、カートリッジ状の防音材の構造を示す概念斜視図である。上記カートリッジ状の防音材１２は、公知の防音素材１４を樹脂１５でコーティングすることで得られる。パネルと防音素材をコートする樹脂の材料と色とを同一にすることで、パネルとカートリッジ状の防音材とが一体感を持って形成される。カートリッジ状の防音材は、この図の例に限定されない。例えば、カートリッジ状の樹脂成型品に防音素材を注入したものや、遮音性の高い材料をカートリッジ状に成型したものなどであってもよい。
【００２３】
図５は、本発明に用いられるパネルの別の態様を示す図である。図５（ａ）は、平面形状のパネルの平面断面図を、図５（ｂ）は、このパネルのＸ方向の断面図を示している。この図の例では、二重壁の内部に、一体成型されたジグザグに連通する水路１１と、隣り合う水路１１間に挟まれてリブ１６により水路１１から隔離された空間に防音材を注入した防音材が充填された領域１３とが設けられている。
【００２４】
このようなパネルも、例えば熱可塑性樹脂をブロー成型することで製造される。水路と防音材が充填された領域とが、二重壁の内部に設けられているので、ボックスの外側からみても、内側からみても、統一した色調の防音ボックスが得られる。防音材は、パネル内に注入される。注入される防音材としては、公知のものが使用でき、具体的には、発泡ウレタン・グラスウールなどが挙げられる。
【００２５】
上記図２の態様によるパネルも、図３の態様によるパネルも、水路には隣接するパネル間で水が流れるように、外部に通ずる孔１４、１５が開けられている。本発明の防音ボックスは、このようなパネルで、床部、壁部および天井部の全部または一部を構成することにより得られる。具体的には、隣接するパネル間で、外部に通ずる孔同士が接するようにパネルを連結する。本発明の防音ボックスは、このようなパネルのみから構成されなくても良い。例えば、窓として機能するパネルや、内部に電線を配設するための孔を有するパネルや、換気孔を設けたパネルを適宜組み合わせて、防音ボックスとしてもよい。
【００２６】
上記図２の態様によるパネルも、図５の態様によるパネルの厚みは、２０〜１００ｍｍ、好ましくは４０〜６０ｍｍである。１００ｍｍよりも厚くなると、ボックスの体積が大きくなるのに対して、実質的な内部の容積が小さくなり、実用に沿わない。一方、２０ｍｍよりも薄くなると、遮音性に劣るとともに、強度に問題を生ずる。
【００２７】
本発明の防音ボックスに用いられるパネルは、図２および図５に示すように、平面形状に限られず、曲面形状であってもよい。図６は、本発明の曲面形状のパネルの外形を概念的に示した図である。図６（ａ）は、二次元曲面形状のパネルを示し、図６（ｂ）は、三次元曲面形状のパネルを示す。
また、本発明に用いるパネルの最も面積が広い面の投影図の外形は、特に制限されない。図２および図３で例示したものは、方形であるが、三角形などの多角形であってもよい。
【００２８】
本発明の防音ボックス１は、その前部を開閉するドア部４が設けられている。ドア部４は、２個以上のヒンジ（図示せず）を介して天井部５に取り付けられている。ドア部４の下部中央部には、ドアを開閉するための取っ手１７が取り付けられている。この図の例では、ドア部４は、上下に開閉される。本発明の防音ボックスに設けられているドア部４は、この図の例に制限されるものではなく、防音ボックスの形状、大きさ、防音ボックスを設置する場所などに応じて、適宜選択できる。例えば、ドア部をヒンジを介して右側面壁に取り付けることにより前後に開閉される。
【００２９】
本発明の防音ボックスにおいては、パネル間を連結する水路は、外部に設けられた温度調整装置と循環装置との間で閉鎖回路を構成していることが必要である。これにより、所定の温度に調整された水が壁部、床部、天井部を循環するので、ボックス内の温度を調整する。また、パネル間を連結する水路は、直列に連結してもよく、並列に連結してもよい。温度調整装置と循環装置とは、ボックスの外側に設ければよい。あるいは、床部に、温度調整装置と循環装置とを収納できる空間を設けてもよい。
【００３０】
本発明の防音ボックスは、使用する目的により、その大きさを適宜選択できる。具体的には、使用するパネルの数を増減することで、大きさを変更できる。また、使用するパネルの形状や配列を変えることにより、防音ボックスの形状を変更できる。図１の例では、横長の略直方体であるが、縦長にすることも、立方体にすることも、角錐形状にすることも、ドーム状にすることもできる。
【００３１】
本発明の防音ボックスを構成するパネルの材質は、特に制限されるものではないが、保形性、強度などを考慮すると、ＡＢＳ樹脂・ポリカーボネートなどが、好ましい。
【００３２】
本発明の防音ボックスは、その使用する目的に応じて、机、ラック、ベッド、リクライニングシートなどを適宜設けることができる。また、この防音ボックス内に、音響機器、光学機器、ＯＡ機器などを持ち込み、各種作業を行うことができる。
【００３３】
【発明の効果】
以上で説明したように、本発明では、床部、壁部および天井部は、その全部または一部が、水路と防音材が充填された領域とを有する平面形状および／または曲面形状のパネルを複数個組み合わせて防音ボックスを構成することで、ボックス内の空気が激しく対流せずに、騒音も発生しないで、ボックス内の温度が調整でき、遮音性に優れ、しかも大きさや形状の異なるものが容易に得られる防音ボックスを提供することができる。
【図面の簡単な説明】
【図１】図１は、本発明の防音ボックスの一例を示す斜視図である。
【図２】図２は、本発明に用いられるパネルの一態様を示す概略構成図である。
【図３】図３は、図２に示すパネルにおいてカートリッジ状の防音材を嵌め込む前の概念図である。図３（ａ）はその平面図、図３（ｂ）は、Ｘ方向の断面図である。
【図４】図４は、カートリッジ状の防音材の構造を示す概念斜視図である。
【図５】図５は、本発明に用いられるパネルの別の態様を示す図である。図５（ａ）は、平面形状のパネルの平面断面図を、図５（ｂ）は、このパネルのＸ方向の断面図を示している。
【図６】図６は、本発明の曲面形状のパネルの外形を概念的に示した図である。図６（ａ）は、二次元曲面形状のパネルを示し、図６（ｂ）は、三次元曲面形状のパネルを示す。
【符号の説明】
１    防音ボックス
２    床部
３    壁部
４    ドア部
５    天井部
１０    パネル
１１    水路
１２    カートリッジ状の防音材
１３    防音材が充填された領域
１４    防音素材
１５    樹脂
１６    リブ
１７    取っ手
【図１】
2004278139.tif 000003
【図２】
2004278139.tif 000004
【図３】
2004278139.tif 000005
【図４】
2004278139.tif 000006
【図５】
2004278139.tif 000007
【図６】
2004278139.tif 000008